(57)【要約】      （修正有）【課題】簡易な構成で確実に外部の放射線を遮蔽することができる外部放射線遮蔽筐体を提供する。【解決手段】外部放射線遮蔽筐体は、内部に収納された対象物の放射線量を外部の放射線から遮蔽して計測するための筐体であって、筐体本体１と、筐体本体１の前面に開閉可能に取り付けられた扉部２とを備える。ここで、筐体本体１は、これを構成する壁１１，１２，１３の内部全体に高炉セメント１００が充填されると共に内面側に鉛板１０１が設けられる。一方、扉部２は、内面側および外面側に鉛板２０１および２０３が設けられている。【選択図】図２
0003177566.tif 000002
【実用新案登録請求の範囲】
【請求項１】
内部に収納された対象物の放射線量を外部の放射線から遮蔽して計測するための外部放射線遮蔽筐体であって、
筐体本体と、該筐体本体のいずれか１面に開閉可能に取り付けられた扉部とを備え、
前記筐体本体は、該筐体本体を構成する壁の内部全体にセメントが充填されると共に内面側に鉛板が設けられ、
前記扉部は、内面側および外面側に鉛板が設けられていることを特徴する外部放射線遮蔽筐体。
【請求項２】
請求項１記載の外部放射線遮蔽筐体において、
前記筐体本体は、天井壁にこれを貫通する貫通孔が形成され、
前記扉部は、前記筐体の前面に取り付けられることを特徴とする外部放射線遮蔽筐体。
【請求項３】
請求項２記載の外部放射線遮蔽筐体において、
前記筐体本体の底壁上に前方に進出自在の可動台を備えることを特徴とする外部放射線遮蔽筐体。
【請求項４】
請求項１乃至３のうちいずれか１項記載の外部放射線遮蔽筐体において、
前記筐体本体および前記扉部の鉛板はその表面が鉄板で覆われていることを特徴とする外部放射線遮蔽筐体。
【考案の詳細な説明】
【技術分野】
【０００１】
本考案は、内部に収納された対象物の放射線量を外部の放射線から遮蔽して計測するための外部放射線遮蔽筐体に関する。
【背景技術】
【０００２】
従来、この種の放射線遮蔽筐体としては、下記特許文献１に示すように、筐体本体と、筐体本体に開閉自在に取り付けられた扉部とのすべてを一定の厚さを有する鉛遮蔽体により構成したものが知られている。
【先行技術文献】
【特許文献】
【０００３】
【特許文献１】特開２０１１−７５４６４号公報
【考案の概要】
【考案が解決しようとする課題】
【０００４】
しかしながら、かかる従来の放射線遮蔽筐体では、外部の放射線を遮断することはできるものの、高価な鉛を大量に必要とするため、構成が大掛かりなものとなりコストが嵩むという問題がある。
【０００５】
特に、昨今の福島第１原子力発電所の事故では、放射性物質が広範囲に渡って拡散している。かかる放射性物質が拡散した地域では、様々な場面において、外部の放射線を遮蔽して種々の対象物の放射線量を簡易に測定する必要がある。
【０００６】
以上の事情に鑑みて、本考案は、簡易な構成で確実に外部の放射線を遮蔽することができる外部放射線遮蔽筐体を提供することを目的とする。
【課題を解決するための手段】
【０００７】
上記目的を達成するために、第１考案の外部放射線遮蔽筐体は、内部に収納された対象物の放射線量を外部の放射線から遮蔽して計測するための外部放射線遮蔽筐体であって、筐体本体と、該筐体本体のいずれか１面に開閉可能に取り付けられた扉部とを備え、前記筐体本体は、該筐体本体を構成する壁の内部全体にセメントが充填されると共に内面側に鉛板が設けられ、前記扉部は、内面側および外面側に鉛板が設けられていることを特徴する。
【０００８】
本願考案者の鋭意の研究によれば、セメントを用いた場合でも放射線を遮蔽する効果が得られることが知見された。かかる知見に基づいて、第１考案の外部放射線遮蔽筐体は、筐体本体を構成する壁の内部全体にセメントが充填されている。これにより、高価な鉛を大量に用いて筐体本体を構成することなく外部の放射線を一次的に遮蔽することができる。さらに、筐体本体の内面側に鉛板を設けることで、外部の放射線を二次的に遮蔽することができ、これにより外部の放射線を確実に遮蔽することができる。
【０００９】
一方で、扉部の内部全体にセメントを充填することも考えられるが、この場合には、扉部の重量が大きくなり、開閉機構を有する筐体本体との取り付け部分に負荷が集中してしまう。そこで、第１考案では、扉部の内部全体にセメントを充填する代わりに扉部の内面側および外面側の両面に鉛板を設けることで、扉部の取り付け部分への負荷を低減しつつ、外部の放射線を確実に遮蔽することができる。
【００１０】
このように、第１考案の外部放射線遮蔽筐体によれば、簡易な構成で確実に外部の放射線を遮蔽することができる。
【００１１】
第２考案の外部放射線遮蔽筐体は、第１考案において、前記筐体本体は、天井壁にこれを貫通する貫通孔が形成され、前記扉部は、前記筐体の前面に取り付けられることを特徴とする。
【００１２】
昨今の福島第１原子力発電所の事故では、放射性物質を含む土や水などを密閉した格納容器が密閉効果を有するか確認することが必要になる。そのため、かかる格納容器が、本願考案における対象物となるが、放射性物質を含む土や水などの重量に密閉容器の重量が加わるため相当な重量となる場合がある。そこで、第２考案の外部放射線遮蔽筐体は、扉部を筐体本体の前面に設けることで、対象物の筐体本体内への出し入れを容易とすることができる。
【００１３】
さらに、前面の扉部から筐体本体内に収納された対象物は、筐体本体の底壁上に載置され、そこから放射線が放射状に照射される。ここで、測定機器の測定部を挿通させるための貫通孔を側面に設けた場合には、対象物の形状や大きさによっては、測定部が対象物と接触してしまい、測定値にばらつきが生じ得る。一方で、第２考案の外部放射線遮蔽筐体のように、貫通孔を天井壁に設けることで、対象物の形状や大きさに拠らずに正確に測定することが可能となる。
【００１４】
このように第２考案の外部放射線遮蔽筐体は、対象物の筐体本体への出し入れを容易としつつ、簡易な構成で確実に外部の放射線を遮蔽して対象物の放射線を正確に測定することができる。
【００１５】
第３考案の外部放射線遮蔽筐体は、第２考案において、前記筐体本体の底壁上に前方に進出自在の可動台を備えることを特徴とする。
【００１６】
第３考案の外部放射線遮蔽筐体によれば、扉部を筐体本体の前面に取り付けた場合に、対象物を筐体本体へ収納する際には、筐体本体内へ押入れなくてはならない。また、対象物を筐体本体から取り出す際には、筐体本体から引き出さなければならない。そこで、筐体本体の底壁上に前方に進出自在な可動台を設けることで、対象物の重量が大きい場合でも、筐体本体への対象物の出し入れを容易とすることできる。
【００１７】
このように第３考案の外部放射線遮蔽筐体は、特に対象物の筐体本体への出し入れを容易としつつ、簡易な構成で確実に外部の放射線を遮蔽して対象物の放射線を正確に測定することができる。
【００１８】
第４考案の外部放射線遮蔽筐体は、第１〜第３考案において、前記筐体本体および前記扉部の鉛板はその表面が鉄板で覆われていることを特徴とする。
【００１９】
第４考案の外部放射線遮蔽筐体によれば、鉛板の表面を鉄板でさらに覆うことで、鉄板により外部放射線を予備的に遮蔽することができると共に、鉛板が露出することがなくなるため、対象物の筐体本体への出し入れの際に鉛板が損傷して遮蔽性が低下することを防止することができる。
【００２０】
このように第４考案の外部放射線遮蔽筐体は、簡易な構成で確実に外部の放射線を遮蔽することができ、かかる遮蔽性を維持することができる。
【図面の簡単な説明】
【００２１】
【図１】外部放射線遮蔽筐体の構成を示す斜視図。
【図２】図１の外部放射線遮蔽筐体をＩＩ―ＩＩ線で切断した断面図。
【図３】図１の外部放射線遮蔽筐体をＩＩＩ―ＩＩＩ線で切断した断面図。
【図４】外部放射線遮蔽筐体の使用状態を示す説明図。
【考案を実施するための形態】
【００２２】
本考案の一実施形態としての外部放射線遮蔽筐体について、図１〜図４を参照して説明する。
【００２３】
まず、図１（ａ）および図１（ｂ）を参照して、本実施形態の外部放射線遮蔽筐体の概要について説明する。
【００２４】
外部放射線遮蔽筐体は、内部に収納された対象物の放射線量を外部の放射線から遮蔽して計測するための筐体であって、筐体本体１と、筐体本体１の前面に取り付けられた扉部２とを備える。
【００２５】
筐体本体１は、これを構成する壁として、底壁１０と、底壁１０に立設された、左側壁１１と、右側壁１２と、背面壁１３と、底壁１０と対向するように左右側壁１１，１２および背面壁１３に支持される天井壁１４とを備える。そして、筐体本体１は、底壁１０、左右側壁１１、１２および天井壁１４に囲まれて、前面が開口している。
【００２６】
底壁１０上には、スライド機構により前方に進出自在の可動台１５が設けられている。
【００２７】
天井壁１４には、その中央部を貫通する貫通孔１６が設けられおり、貫通孔１６を閉蓋するように金属製（例えば鉛製）の蓋１７が着脱自在に取り付けられている。
【００２８】
扉部２は、筐体本体１の開口した前面を覆うように取り付けられる。扉部２は、例えば、ヒンジ等の開閉機構を有する支持部材により筐体本体１に開閉自在に取り付けられる。本実施形態では、ヒンジ（図示省略）により、扉部２は筐体本体１の右側壁に片持ち支持されている。
【００２９】
また、扉部２の外面には、前記ヒンジと反対側に取手２０が取り付けられている。また、取手２０と隣接して扉部２を閉じた際のロック機構（図示省略）を操作するハンドル２１が設けられている。
【００３０】
次に、図２および図３を参照して、筐体本体１および扉部２の内部構造について説明する。
【００３１】
筐体本体１を構成する底壁１０、左右側壁１１，１２、背面壁１３および天井壁１４の内部全体には、高炉セメント（Ｂ種）１００が充填されている。高炉セメント１００の充填は、これらの壁１０〜１４の一部を一時的に切り欠いた切欠部（図示省略）を介して内部への導入を行い、充填後に切欠部を溶接等により修復することにより行われる。
【００３２】
そして、図２に拡大して示すように、高炉セメント１００が充填された壁の表面は、筐体本体１の内面側が、鉛板１０１により全面が覆われている。さらに、鉛板１０１を覆うように、厚板鉄板１０２および薄板鉄板１０３が設けられている。
【００３３】
ここで、本願考案者は、従来よく用いられている鉛を用いずセメントを用いても同等の放射線の遮蔽効果が得られることを知見し、かかる知見に基づいて、筐体本体１を構成する壁の内部全体に高炉セメント１００を充填することで、高価な鉛を大量に用いて筐体本体１を構成することなく外部の放射線を一次的に遮蔽することができる。
【００３４】
さらに、筐体本体１の内面側に鉛板１０１を設けることで、外部の放射線を二次的に遮蔽することができ、これにより外部の放射線を確実に遮蔽することができる。
【００３５】
加えて、鉛板１０１の表面を厚板鉄板１０２および薄板鉄板１０３でさらに覆うことで、厚板鉄板１０２および薄板鉄板１０３により外部放射線を予備的に遮蔽することができると共に、鉛板１０１が露出することがなくなるため、対象物の筐体本体１への出し入れの際に鉛板１０１が損傷して遮蔽性が低下することを防止することができる。
【００３６】
一方、扉部２は、その外面側の一部に高炉セメント（Ｂ種）２００が充填されている。
【００３７】
そして、図２に拡大して示すように、扉部２の外面は、鉛板２０１により全面が覆われており、鉛板２０１をさらに覆うように薄板鉄板２０２が設けられている。また、扉部２の内面は、鉛板２０３により全面が覆われており、鉛板２０３をさらに覆うように薄板鉄板２０４が設けられている。
【００３８】
ここで、扉部２の内部は、外面側の一部に充填された高炉セメント２００を除いて、大部分が中空となっており、扉部２の軽量化により、筐体本体１との取り付け部分であるヒンジへの負荷が低減されている。
【００３９】
扉部２の内部全体にセメントを充填しない場合には、外部放射線の遮蔽効果が低下されることが懸念されるが、扉部２の内面側および外面側の両面に鉛板２０１および２０３を設けることで、扉部２の取り付け部分への負荷を低減しつつ、外部の放射線を確実に遮蔽することができる。
【００４０】
さらに、扉部２の外面側に設けられた鉛板２０１は、その表面が鉄板２０２で覆われており、鉄板２０２により外部放射線を予備的に遮蔽することができると共に、鉛板２０１が露出することがなくなるため、対象物の筐体本体１への出し入れの際に鉛板２０１が損傷して遮蔽性が低下することを防止することができる。
【００４１】
同様に、扉部２の内面側に設けられた鉛板２０３は、その表面が鉄板２０４で覆われており、鉄板２０４により外部放射線を予備的に遮蔽することができると共に、鉛板２０３が露出することがなくなるため、対象物の筐体本体１への出し入れの際に鉛板２０３が損傷して遮蔽性が低下することを防止することができる。
【００４２】
なお、本実施形態においては、筐体本体１の左右側壁１１，１２と背面壁１３と天井壁１４に、これらを囲うようにそれぞれ金属製の左右枠体１１０，１２０と背面枠１３０と天井枠１４０とを設けているが、これらの枠体１１０，１２０，１３０，１４０は、適宜省略してもよい。
【００４３】
次に、図４を参照して、外部放射線遮蔽筐体の使用方法について説明する。
【００４４】
本実施形態の外部放射線遮蔽筐体は、例えば、放射性物質を含む土や水などを密閉した格納容器（図示省略）を対象物として、外部の放射線を遮断した状態で対象物が所定の密閉効果を有しており放射線が漏れ出していないことを確認するために用いられる。
【００４５】
まず、対象物の放射線量を測定する際に、測定者は、図４（ａ）において、扉部２の外面の取手２０を引いて、図４（ｂ）のように扉部２を開放させる。このとき、扉部２のロック機構（図示省略）が働いている場合には、ハンドル２１を回動させてロック機構を解除させた上で扉部２を開放させる。
【００４６】
次に、測定者は、図４（ｂ）において、可動台１５を手前に引いて、図４（ｃ）のように可動台を手前に引き出した状態とする。
【００４７】
次いで、測定者は、図４（ｃ）において、手前に引き出されている可動台１５に格納容器等の対象物（図示省略）を載置する。
【００４８】
そして、測定者は、対象物が積置された可動台を筐体本体１内に押し込んで、図４（ｂ）のような状態とした上で、扉部２を完全に閉鎖し、ハンドル２１を回動させてロック機構を働かせ、図４（ａ）のような状態とする。
【００４９】
ここで、格納容器等の対象物は、放射性物質を含む土や水などの重量に密閉容器の重量が加わるため相当な重量となる場合があるが、扉部２が筐体本体１の前面に設けられると共に可動台１５が前方に進出することで、測定者は、対象物の筐体本体１への出し入れを容易に行うことができる。
【００５０】
次に、測定者は、対象物が外部放射線遮蔽筐体内に収納されると、蓋１７を取り外し、放射線量測定装置の測定部（図示省略）を、貫通孔１６を介して筐体本体１内に挿通させて、対象物の放射線量を測定する。
【００５１】
このとき、上述のように、筐体本体１および扉部２は、外部の放射線を確実に遮断しているため、外部の放射線が高くそのままでは正確な測定が期待できない環境においても、外部の放射線を遮蔽して対象物の放射線量を正確に測定することができる。
【００５２】
さらに、貫通孔１６が天井壁１４に設けられているため、対象物の形状や大きさによって測定部が対象物と接触してしまうことを回避して、対象物の形状や大きさに拠らずに正確に放射線量を測定することが可能となっている。
【００５３】
放射線量の測定が終了すると、測定者は、上述の手順を逆に行い、対象物を外部放射線遮蔽筐体から取り出して、一連の測定処理を終了する。
【００５４】
以上が本実施形態の外部放射線遮蔽筐体の使用方法であり、かかる外部放射線遮蔽筐体によれば、上述のように、簡易な構成で確実に外部の放射線を遮蔽して対象物の放射線を正確に測定することができる。
【００５５】
なお、本実施形態の外部放射線遮蔽筐体では、天井壁１４に貫通孔１６を設けて、放射線量測定装置の測定部位を挿通させる構成について説明したが、貫通孔１６を設けず、測定装置を対象物と共に内部に収納して、対象物の放射線量の測定を行うようにしてもよい。
【００５６】
また、貫通孔１６は、対象物の形状や大きさ等に合わせて、天井壁１４に代えてまたは加えて左側壁１１、右側壁１２や背面壁１３に形成してもよい。
【００５７】
さらに、対象物の重量が小さい場合には、筐体本体１の前面に扉部２を設ける代わりに、筐体本体１の他の面に扉部２を設けてもよい。例えば、筐体本体１の天面に扉部２を設けて、対象物を上方から出し入れするように構成してもよい。
【００５８】
また、本実施形態の外部放射線遮蔽筐体では、セメントとして、長期強度発現性や化学抵抗性に優れた高炉セメント（Ｂ種）１００および２００を用いているが、これらの性能を有するセメントであれば高炉セメントに限定されるものではない。
【００５９】
さらに、扉部２の内面側および外面側に設けられた鉛板２０１および２０３の厚さを厚くすることで、扉部２の一部に充填されている高炉セメント２００を省略するようにしてもよい。
【符号の説明】
【００６０】
１…筐体本体、２…扉部、１０…底部、１１…左側壁、１２…右側壁、１３…背面壁、１４…天井壁、１５…可動台、１６…貫通孔、１７…蓋、１００…高炉セメント、１０１…鉛板、１０２…厚板鉄板、１０３…薄板鉄板、２００…高炉セメント、２０１，２０３…鉛板、２０２，２０４…鉄板。
【図１】
0003177566.tif 000003
【図２】
0003177566.tif 000004
【図３】
0003177566.tif 000005
【図４】
0003177566.tif 000006